(57)【要約】【課題】製版機構と印刷機構が別構成であっても、所望の印刷画像の製版と被記録媒体に対する正確な印刷が行える。【解決手段】製版機構１０で設定された印刷画像の印刷位置を調整するための印刷位置情報を含む画像処理情報に基づき作成した最終的な印刷イメージに応じた製版原紙を製版するとともに、印刷ドラム１３ａの情報記憶手段１３ｃに設定された印刷位置情報を記憶させる。そして、印刷機構２０は、製版機構１０で製版された製版原紙を巻装し、且つ設定された印刷位置情報が記憶された印刷ドラム１３ａを装着し、ドラムに記憶された印刷位置情報に基づき被記録媒体に対する印刷位置を調整して印刷動作を行う。【選択図】図１
2010064345.tif 000002
【特許請求の範囲】
【請求項１】
所望の印刷画像を製版した製版原紙を印刷ドラムに巻装する製版機構と、該製版機構で製版された製版原紙を巻装した印刷ドラムを用いて被記録媒体に印刷を行う印刷機構とが別体で構成され、
前記印刷ドラムは、前記製版機構、前記印刷機構の双方に対して着脱自在で、且つ印刷時における前記印刷画像の天地位置を調整するための天地位置情報と前記印刷画像の左右位置を調整するための左右位置情報とからなる印刷位置情報を記憶する情報記憶手段を内蔵し、
前記製版機構は、前記被記録媒体に印刷する前記印刷画像を所望の画像に調整するのに必要な印刷位置情報を含む画像処理情報を設定し、該設定された画像処理情報によって調整された印刷画像に応じて製版原紙を製版するとともに、前記設定された画像処理情報のうち少なくとも印刷位置情報を前記情報記憶手段に記憶させ、
前記印刷機構は、前記製版機構で製版された製版原紙を巻装し、且つ前記設定された印刷位置情報が前記情報記憶手段に記憶された前記印刷ドラムを装着し、当該印刷ドラムに記憶された前記印刷位置情報に基づき前記被記録媒体に対する印刷位置を調整して印刷動作を行うことを特徴とする印刷システム。
【請求項２】
前記製版機構は、
前記被記録媒体毎の媒体情報の選択設定と前記印刷画像を調整するための前記画像処理情報とを設定する設定部と、
該設定部で設定された前記被記録媒体の媒体情報と前記画像処理情報とに基づき前記印刷画像の最終的な印刷イメージを画像処理するとともに、前記設定された画像処理情報のうち少なくとも印刷位置情報を前記情報記憶手段に記憶させる制御部と、
該制御部で画像処理された前記印刷イメージを表示する表示部と、
前記設定部で設定された前記画像処理情報によって調整された前記印刷画像に応じて製版原紙を製版する製版部と、
を備えたことを特徴とする請求項１記載の印刷システム。
【請求項３】
前記印刷機構は、
前記被記録媒体を載置する給紙台を有する給紙部と、
前記製版機構で製版された製版原紙を巻装し、且つ前記設定部で設定された画像処理情報のうち少なくとも印刷位置情報を前記情報記憶手段に記憶した前記印刷ドラムが装着される画像形成部と、
前記印刷ドラム又は前記給紙台の少なくとも一方を給紙方向に沿った天地方向と直交する左右方向へ移動する位置調整部と、
前記印刷ドラムに記憶された前記印刷位置情報における左右位置情報に基づき前記位置調整部を制御して前記印刷ドラム又は前記給紙台の少なくとも一方を前記左右方向へ移動して前記被記録媒体に印刷される前記印刷画像の左右位置を調整するとともに、前記印刷位置情報における天地位置情報に基づき前記被記録媒体の前記画像形成部に対する給紙タイミングを制御して前記被記録媒体に印刷される前記印刷画像の天地位置を調整する制御部と、
を備えたことを特徴とする請求項１又は２記載の印刷システム。
【請求項４】
被記録媒体を載置する給紙台を有する給紙部と、
予め設定された画像処理情報のうち少なくとも印刷時における印刷画像の天地位置を調整するための天地位置情報と前記印刷画像の左右位置を調整するための左右位置情報とからなる印刷位置情報を記憶した情報記憶手段を内蔵し、且つ前記設定された画像処理情報よって調整された前記印刷画像に応じた印刷ドラムを装着する画像形成部と、
前記印刷ドラム又は前記給紙台の少なくとも一方を給紙方向に沿った天地方向と直交する左右方向へ移動する位置調整部と、
前記印刷ドラムに記憶された前記印刷位置情報における左右位置情報に基づき前記位置調整部を制御して前記印刷ドラム又は前記給紙台の少なくとも一方を前記左右方向へ移動して前記被記録媒体に印刷される前記印刷画像の左右位置を調整するとともに、前記印刷位置情報における天地位置情報に基づき前記被記録媒体の前記画像形成部に対する給紙タイミングを制御して前記被記録媒体に印刷される前記印刷画像の天地位置を調整する制御部と、
を備えたことを特徴とする印刷装置。
【発明の詳細な説明】
【技術分野】
【０００１】
本発明は、印刷画像の製版と被記録媒体に対する印刷をそれぞれ別構成で行う印刷システム及び印刷装置に係り、特に製版時における印刷画像の位置調整と印刷時における被記録媒体の印刷位置合せが容易に行える印刷システム及び印刷装置を関するものである。
【背景技術】
【０００２】
従来より、印刷機本体に対して着脱自在な印刷ドラムに所望の画像を製版した製版原紙を巻装した孔版印刷装置が知られている。そして、この種の孔版印刷装置として、例えばドラム内部の不揮発性メモリにドラムの使用に関する情報を書き込める装置として、下記特許文献１に開示されている孔版印刷装置が公知である。
【０００３】
図７は、下記特許文献１に開示される孔版印刷装置の概略ブロック図である。図示のように、下記特許文献１の孔版印刷装置１０１において、製版された製版原紙を装着した印刷ドラム１０２は印刷機本体１０１に着脱可能であり、内部に不揮発性メモリ１０３が設けられる。この不揮発性メモリ１０３には「ドラムの使用に関する情報」として、印刷枚数等が記憶される。また、印刷機本体１０１の制御手段１０４は、処理手段（ＣＰＵ）１０５、ＲＯＭ１０６，ＲＡＭ１０７のタイマ１０８、カウンタ１０９、モータ１１０、Ｉ／Ｆポート１１１等が設けられ、各部の動作を制御している。
【０００４】
そして、制御手段１０４は、印刷ドラム１０２が取り付けられると不揮発性メモリ１０３から「ドラムの使用に関する情報」を読み出してＲＡＭ１０７に格納する。この後、印刷が実行されれば印刷枚数の情報を更新する。印刷ドラム１０２が取り外されるとき不揮発性メモリ１０３に「ドラムの使用に関する情報」を更新して書き込んでいる。
【０００５】
また、印刷装置のメモリに画像形成位置に関する情報（天地位置、左右方向位置）が記憶され、誤ってリセットキーが押された場合でもメモリ内の画像位置情報により復帰することができる装置として、下記特許文献２に開示される画像形成装置が公知である。
【０００６】
図８は、下記特許文献２に開示される画像形成装置の概略ブロック図である。図示のように、下記特許文献２の画像形成装置２０１は、装置全体を制御する制御プログラムやユーザーインタフェースのためのデータなどを格納しておくＲＯＭ（Read Only Memory）２０２と、制御プログラムやデータを処理するためのＣＰＵ（Central Processing Unit ）２０３と、調節した印刷位置情報などを記憶しておくための不揮発性のＲＡＭ（Random Access Memory）２０４と、ユーザーインタフェースとしての操作パネル２０５とからなる。この操作パネル２０５には、感圧式、ないしは静電式のタッチパネルが載せられていて、操作者は指などで直接触れることで各種パラメータの入力などができる構成である。
【０００７】
そして、画像形成装置２０１は、感光体ドラム（図示せず）を駆動するためのモータ２０６、天地方向の駆動制御を行うドラム天地駆動回路２０７、左右方向の駆動制御を行うドラム左右駆動回路２０８を有しており、ドラム天地駆動回路２０７あるいはドラム左右駆動回路２０８にモータ２０６を制御するための駆動信号を発信して印刷ドラムに対する駆動制御を行うことで、印刷用紙に対する印刷画像の天地あるいは左右位置を調節することが可能となっている。
【特許文献１】特開２００２−４６３３４号公報
【特許文献２】特開２００１−３４７７４１号公報
【発明の開示】
【発明が解決しようとする課題】
【０００８】
ところで、被記録媒体として一般的な定型サイズ（Ａ４やＢ５など）の印刷用紙ではなく、クラフトパルプを原料とした例えば飼料、穀物、セメント、化学薬品などを充填するクラフト紙袋を用いる場合がある。このクラフト紙袋は、内容物を約２５〜５０ｋｇ程度充填して保管、輸送する際に用いられる袋であるため袋本体の容積が大きく、また使用する目的に対応するよう様々な形状で作製されている。
【０００９】
従って、クラフト紙袋のような大きな被記録媒体に印刷を行う場合、上述した特許文献１、２のような製版部と印刷部とが一体となった装置では、装置が大型化して設置スペースが確保できないことが多いため、製版部と印刷部とを別体構成にして製版、印刷をそれぞれの装置で行っている。
【００１０】
しかしながら、クラフト紙袋の種類によってその形状や大きさ、印刷可／不可の領域が異なり、また一般的な製版装置では被記録媒体に印刷した際の最終的な印刷イメージを把握することができなかった。そのため、被記録媒体に対して所望の位置に印刷を行うには、ユーザの経験や勘に基づき印刷位置（天地位置や左右位置）を設定して製版を行い、その製版を用いて印刷を行わなければならない。従って、経験の浅いユーザでは正確な位置に印刷するのが困難であった。また、所望の位置に正確に印刷を行うには、製版する度に試し刷りを必要とするため、試し刷りした際のクラフト紙袋が無駄になってしまうという問題もあった。
【００１１】
そこで、本発明は上記問題点に鑑みてなされたものであり、製版部と印刷部とが別体構成であっても、製版後の試し刷りの必要がなくユーザの所望の印刷位置に印刷することができる印刷システム及び印刷装置を提供することを目的とするものである。
【課題を解決するための手段】
【００１２】
上記した目的を達成するために、請求項１記載の印刷システムは、所望の印刷画像を製版した製版原紙を印刷ドラムに巻装する製版機構と、該製版機構で製版された製版原紙を巻装した印刷ドラムを用いて被記録媒体に印刷を行う印刷機構とが別体で構成され、
前記印刷ドラムは、前記製版機構、前記印刷機構の双方に対して着脱自在で、且つ印刷時における前記印刷画像の天地位置を調整するための天地位置情報と前記印刷画像の左右位置を調整するための左右位置情報とからなる印刷位置情報を記憶する情報記憶手段を内蔵し、
前記製版機構は、前記被記録媒体に印刷する前記印刷画像を所望の画像に調整するのに必要な印刷位置情報を含む画像処理情報を設定し、該設定された画像処理情報によって調整された印刷画像に応じて製版原紙を製版するとともに、前記設定された画像処理情報のうち少なくとも印刷位置情報を前記情報記憶手段に記憶させ、
前記印刷機構は、前記製版機構で製版された製版原紙を巻装し、且つ前記設定された印刷位置情報が前記情報記憶手段に記憶された前記印刷ドラムを装着し、当該印刷ドラムに記憶された前記印刷位置情報に基づき前記被記録媒体に対する印刷位置を調整して印刷動作を行うことを特徴とする。
【００１３】
請求項２記載の印刷システムは、請求項１記載の印刷システムにおいて、前記製版機構は、
前記被記録媒体毎の媒体情報の選択設定と前記印刷画像を調整するための前記画像処理情報とを設定する設定部と、
該設定部で設定された前記被記録媒体の媒体情報と前記画像処理情報とに基づき前記印刷画像の最終的な印刷イメージを画像処理するとともに、前記設定された画像処理情報のうち少なくとも印刷位置情報を前記情報記憶手段に記憶させる制御部と、
該制御部で画像処理された前記印刷イメージを表示する表示部と、
前記設定部で設定された前記画像処理情報によって調整された前記印刷画像に応じて製版原紙を製版する製版部と、
を備えたことを特徴とする。
【００１４】
請求項３記載の印刷システムは、請求項１又は２記載の印刷システムにおいて、前記印刷機構は、
前記被記録媒体を載置する給紙台を有する給紙部と、
前記製版機構で製版された製版原紙を巻装し、且つ前記設定部で設定された画像処理情報のうち少なくとも印刷位置情報を前記情報記憶手段に記憶した前記印刷ドラムが装着される画像形成部と、
前記印刷ドラム又は前記給紙台の少なくとも一方を給紙方向に沿った天地方向と直交する左右方向へ移動する位置調整部と、
前記印刷ドラムに記憶された前記印刷位置情報における左右位置情報に基づき前記位置調整部を制御して前記印刷ドラム又は前記給紙台の少なくとも一方を前記左右方向へ移動して前記被記録媒体に印刷される前記印刷画像の左右位置を調整するとともに、前記印刷位置情報における天地位置情報に基づき前記被記録媒体の前記画像形成部に対する給紙タイミングを制御して前記被記録媒体に印刷される前記印刷画像の天地位置を調整する制御部と、
を備えたことを特徴とする。
【００１５】
請求項４記載の印刷装置は、被記録媒体を載置する給紙台を有する給紙部と、
予め設定された画像処理情報のうち少なくとも印刷時における印刷画像の天地位置を調整するための天地位置情報と前記印刷画像の左右位置を調整するための左右位置情報とからなる印刷位置情報を記憶した情報記憶手段を内蔵し、且つ前記設定された画像処理情報よって調整された前記印刷画像に応じた印刷ドラムを装着する画像形成部と、
前記印刷ドラム又は前記給紙台の少なくとも一方を給紙方向に沿った天地方向と直交する左右方向へ移動する位置調整部と、
前記印刷ドラムに記憶された前記印刷位置情報における左右位置情報に基づき前記位置調整部を制御して前記印刷ドラム又は前記給紙台の少なくとも一方を前記左右方向へ移動して前記被記録媒体に印刷される前記印刷画像の左右位置を調整するとともに、前記印刷位置情報における天地位置情報に基づき前記被記録媒体の前記画像形成部に対する給紙タイミングを制御して前記被記録媒体に印刷される前記印刷画像の天地位置を調整する制御部と、
を備えたことを特徴とする。
【発明の効果】
【００１６】
本発明の印刷システムによれば、製版機構と印刷機構とが別構成であっても、製版機構において作成した被記録媒体の最終的な印刷イメージに沿って製版原紙が製版できるので、経験の浅いユーザであっても被記録媒体に対する印刷画像の天地、左右位置や向きなどを考慮することなく簡便に製版することができる。
【００１７】
また、印刷機構で印刷する際に、印刷ドラムに記憶された印刷位置情報に基づき、印刷ドラム又は給紙台の少なくとも一方を左右方向に移動して印刷画像における左右位置の調整が行えるとともに、被記録媒体の給紙タイミングを制御して印刷画像における天地位置の調整が行えるため、印刷時にユーザが被記録媒体の位置合わせをする必要がなく、正確な位置に印刷をすることができる。
【００１８】
さらに、本発明の印刷装置によれば、別構成の製版装置で設定された被記録媒体に対する印刷画像の印刷位置情報が印刷ドラムに記憶されているため、印刷する際に、印刷ドラムに記憶された印刷位置情報に基づき、給紙台又は印刷ドラムの少なくとも一方を左右方向へ移動して被記録媒体に印刷される印刷画像の左右位置を調整するとともに、被記録媒体の画像形成部に対する給紙タイミングを制御して被記録媒体に印刷される印刷画像の天地位置を調整することができるので、ユーザが被記録媒体に対する印刷画像の印刷位置合せをする必要なく、正確な位置に印刷することができる。
【発明を実施するための最良の形態】
【００１９】
以下、本発明を実施するための最良の形態について、添付した図面を参照しながら詳細に説明する。図１は本発明に係る印刷システムの構成を説明するための概略構成図であり、図２は同印刷システムの構成を説明するための概略ブロック図であり、図３（ａ）〜（ｄ）は同装置において製版時に画像処理情報を設定したときに表示される表示内容の一例を説明するための説明図であり、図４（ａ）、（ｂ）は同システムの印刷機構における印刷位置調整を説明するための概念図であり、図５は同システムにおける製版時の一連の処理動作を説明するためのフローチャート図であり、図６は同システムにおける印刷時の一連の処理動作を説明するためのフローチャート図である。
【００２０】
［印刷システムの構成］
まず、本発明に係る印刷システムの構成について、図１〜３を参照しながら説明する。本例の印刷システム１は、被記録媒体に印刷される印刷画像に基づく製版原紙を作製する製版機構１０と、製版機構１０で製版された製版原紙を用いて被記録媒体に印刷を行う印刷機構２０とで構成される。以下、各構成要件について詳細に説明する。
【００２１】
なお、以下の説明では、製版時に被記録媒体に印刷する印刷画像の位置設定や印刷機構２０での印刷位置調整の際の移動方向として、被記録媒体の給紙方向に沿う方向を「天地方向」、この天地方向と直交する方向を「左右方向」としてそれぞれ定義する。
【００２２】
＜製版機構の構成＞
図１、２に示すように、本例の製版機構１である孔版印刷装置は、原稿読取部１１と、給紙部１２と、画像形成部１３と、排紙部１４と、製版部１５と、制御部１６と、設定部１７と、表示部１８と、駆動部１９とを備えている。
【００２３】
原稿読取部１１は、原稿の内容を光学的に読み取るラインイメージセンサで構成される。原稿読取部１１は、制御部１６の制御により、載置された原稿の内容を光学的に読み取り、この読み取った原稿の画像データ（印刷画像）を制御部１６に出力する。
【００２４】
給紙部１２は、製版原紙の試し刷り用などで用いる印刷用紙などが載置される給紙トレイ１２ａと、印刷用紙を画像形成部１３に所定の給紙タイミングで給紙する給紙ローラ１２ｂとで構成される。給紙部１２は、制御部１６の制御により、給紙トレイ１２ａに載置された印刷用紙を所定の印刷タイミングで画像形成部１３へ搬送する。
【００２５】
画像形成部１３は、孔版印刷の原理によって印刷用紙に印刷を行うものであり、製版部１５で製版された製版原紙が巻装され、製版機構１０と印刷機構２０の双方に対して着脱自在な円筒形状の印刷ドラム１３ａと、印刷ドラム１３ａと対向して設けられ、給紙部１２から搬送された印刷用紙を印刷ドラム１３ａの外周側に押圧するプレスローラ１３ｂとで構成される。なお、図中では、印刷ドラム１３ａが製版機構１０に装着されている例である。
【００２６】
印刷ドラム１３ａは、少なくとも一部が多孔構造によるインク透過性の部材である円筒形の周壁を有しており、制御部１６の制御により駆動する駆動部１９の回転駆動に応じて所定方向に回転する。印刷ドラム１３ａの先端には、製版後の製版原紙をクランプするクランプ部によって挟持された状態で印刷ドラム１３ａの外周に巻装されている。また、印刷ドラム１３ａの内部には、周壁の内周面に一定量のインクを供給するインク供給手段（不図示）が設けられている。さらに、印刷ドラム１３ａには、設定部１７で設定された画像処理情報のうち、少なくとも印刷時に必要な印刷位置情報（天地位置情報、左右位置情報）を記憶するための不揮発性メモリからなる情報記憶手段１３ｃが内蔵されている。
【００２７】
プレスローラ１３ｂは、印刷ドラム１３ａと対向した位置に設けられ、給紙部１２から供給された印刷用紙を回転駆動される印刷ドラム１３ａに押圧することにより製版原紙の穿孔部を通して印刷用紙にインクを転写させる。プレスローラ１３ｂは、給紙部１２から印刷用紙が給紙されると、印刷ドラム１３ａに印刷用紙を押圧して製版原紙の穿孔画像を転写している。
【００２８】
排紙部１４は、印刷後の印刷用紙を排紙する排紙ローラ１４ａと、排紙された印刷用紙が載置される排紙台１４ｂとで構成される。排紙部１４は、制御部１６の制御により、画像形成部１３で印刷が終了した印刷用紙を搬送して排紙台１４ｂに積載する。
【００２９】
製版部１５は、ロール状の孔版原紙を繰り出すプラテンローラ１５ａと、この孔版原紙に対し設定部１７で設定された印刷画像の画像処理情報に基づき穿孔を形成させる複数個の発熱素子からなるサーマルヘッド（ＴＰＨ）１５ｂと、穿孔された製版原紙を所定長で切断するカッタ１５ｃとを有する。製版部１５は、制御部１６の制御により、設定部１７で設定された画像処理情報によって調整された印刷画像に応じて製版原紙を製版する。
【００３０】
そして、製版部１５で製版された製版原紙は、印刷ドラム１３ａのクランプで挟持され、印刷ドラム１３ａが所定方向に回転することにより、この印刷ドラム１３ａ外周に巻装される。
【００３１】
制御部１６は、記憶手段１６ａと、処理制御手段１６ｂとで構成され、製版機構１０を構成する各部の駆動制御や処理制御を行っている。
【００３２】
記憶手段１６ａは、例えば磁気的、光学的記録媒体若しくはＲＯＭ、ＲＡＭ等の半導体メモリとで構成される。記憶手段１６ａは、設定部１７で選択される被記録媒体毎の媒体情報（外形寸法比に基づく媒体イメージや印刷画像を印刷できない非印刷領域情報など）、設定部１７で設定された印刷画像の画像処理情報、製版や印刷に関する各種制御情報の他、製版機構１０を構成する各部に関する各種制御データを記憶している。
【００３３】
処理制御手段１６ｂは、例えばＣＰＵやＲＯＭ、ＲＡＭ等のマイクロコンピュータで構成される。処理制御手段１６ｂは、原稿を読み取る際の原稿読取部１１に係る制御、印刷用紙を画像形成部１３に搬送する際の給紙部１２に係る制御、印刷時における画像形成部１３に係る制御、設定部１７で設定された画像処理情報に基づき製版原紙の製版する際の製版部１５に係る制御、印刷後の印刷用紙を排紙する際の排紙部１４に係る制御、設定部１７で設定された被記録媒体の媒体情報と画像処理情報とに基づく画像処理に係る制御、画像処理された表示内容や設定部１７による各種設定内容などを表示する表示部１８に係る制御、印刷ドラム１３ａを駆動する際の駆動部１９の駆動制御の他、製版機構１０を構成する各部に関する処理制御を行っている。
また、処理制御手段１６ｂは、製版原紙が製版された際に、設定部１７で設定された画像処理情報のうち少なくとも印刷位置情報を情報記憶手段１３ｃに記憶させている。
【００３４】
設定部１７は、上下左右方向を調整する十字キー又は方向キー、数値入力用のテンキー、各種項目選択用の選択キーなどの各種操作キーで構成される。設定部１７による設定内容としては、例えば印刷イメージを作成する際に印刷対象となる被記録媒体の種類の選択設定（すなわち、記録手段１６ａに記憶された媒体情報の選択）、印刷画像を所望の画像に調整するための画像処理情報（被記録媒体に印刷する印刷画像の天地方向に対して位置調整するための天地位置情報や左右方向に対して位置調整するための左右位置情報からなる印刷位置情報、印刷画像の倍率、印刷画像の向きなど）の設定などがある。また、設定部１７は、これらの設定の他、製版又は印刷の開始や停止、印刷枚数の設定など、通常の孔版印刷装置を操作する際に使用する操作キーとしての機能も有している。
【００３５】
表示部１８は、例えば液晶ディプレイなどの表示機器で構成される。表示部１８は、制御部１６の制御により、設定部１７で設定された各種設定内容や画像処理された印刷イメージの他、印刷や製版の際に必要な各種情報を表示する。
【００３６】
ここで、図３を参照しながら、印刷イメージを作成する際に設定部１７で設定された画像処理情報に基づく表示例について説明する。
なお、以下の表示例では、「被記録媒体」として例えばクラフトパルプを原料とした例えば飼料、穀物、セメント、化学薬品などを充填するクラフト紙袋を用いた例で説明するが、被記録媒体の種類は特に限定されない。
【００３７】
図３（ａ）に示すように、設定部１７において印刷対象となるクラフト紙袋の媒体イメージが選択されると、この選択された媒体イメージが表示される。次に、図３（ｂ）に示すように、印刷したい印刷画像を媒体イメージ上に合せて画像処理情報（印刷位置情報、倍率、向き）が設定されると、この情報に基づき処理された画像が表示される。そして、図３（ｃ）に示すように、設定部１７からの画像処理情報に基づき処理された最終的な被記録媒体の印刷イメージが表示される。なお、被記録媒体における非印刷領域に印刷画像が重なった場合は、図３（ｄ）に示すように警告表示（例えば色別表示や点滅表示、メッセージ表示などユーザが識別可能に表示され、図中では点線で表記）される。
【００３８】
駆動部１９は、例えばモータで構成され、制御部１６の制御により、製版された製版原紙の巻装時や印刷時に駆動制御され、所定タイミングで印刷ドラム１３ａを回転駆動している。
【００３９】
＜印刷機構の構成＞  
図１、２に示すように、本例の印刷機構２０である印刷装置は、給紙部２１と、画像形成部２２と、排紙部２３と、制御部２４と、駆動部２５と、位置調整部２６とを備えている。
【００４０】
給紙部２１は、位置調整部２６によって左右方向に移動自在な被記録媒体を載置する給紙台２１ａと、被記録媒体を画像形成部２２に所定の給紙タイミングで給紙する給紙ローラ２１ｂとで構成される。給紙部２１は、制御部２４の制御により、印刷ドラム１３ａに記憶された印刷位置情報である天地位置情報に基づく給紙タイミングで給紙台２１ａに載置された被記録媒体を画像形成部２２へ搬送する。
【００４１】
画像形成部２２は、製版機構１０の画像形成部１３と同様、孔版印刷の原理によって印刷用紙に印刷を行うものであり、製版機構１０で製版された製版原紙が巻装され、且つ製版時に設定部１７で設定された印刷位置情報を情報記憶手段１３ｃに記憶した印刷ドラム１３ａと、印刷ドラム１３ａと対向して設けられ、搬送された被記録媒体を印刷ドラム２２ａの外周側に押圧するプレスローラ２２ａとで構成される。
【００４２】
なお、画像形成部２２に装着された印刷ドラム１３ａは、印刷ドラム１３ａの情報記憶手段１３ｃに記憶された印刷位置情報である左右位置情報に基づき、必要に応じて位置調整部２６により左右方向に移動される。また、プレスローラ２２ａは、製版機構１０のプレスローラ１３ｂと同構成のため、その説明を省略する。
【００４３】
排紙部２３は、印刷後の印刷用紙を排紙する排紙ローラ２３ａと、排紙された印刷用紙が載置される排紙台２３ｂとで構成される。排紙部２３は、制御部２４の制御により、画像形成部２２で印刷された被記録媒体を搬送して排紙台２３ｂに積載する。
【００４４】
制御部２４は、記憶手段２４ａと、処理制御手段２４ｂとで構成され、印刷機構２０を構成する各部の駆動制御や処理制御を行っている。
【００４５】
記憶手段２４ａは、例えば磁気的、光学的記録媒体若しくはＲＯＭ、ＲＡＭ等の半導体メモリとで構成される。記憶手段２４ａは、実装される印刷ドラム１３ａの情報記憶手段１３ｃに記憶される印刷画像の印刷位置情報、給紙部２１、排紙部２３に係る各種制御、画像形成部２２に関する各種制御情報の他、印刷機構２０を構成する各部に関する各種制御データを記憶している。
【００４６】
処理制御手段２４ｂは、例えばＣＰＵやＲＯＭ、ＲＡＭ等のマイクロコンピュータで構成される。処理制御手段２４ｂは、被記録媒体を画像形成部２２に搬送する際の給紙部２１に係る制御、印刷時における画像形成部２２に係る制御、印刷後の被記録媒体を排紙する際の排紙部２３に係る制御、印刷ドラム１３ａを駆動する際の駆動部２５の駆動制御、必要に応じて印刷ドラム１３ａ又は給紙台２１ａを左右方向へ移動する際の位置調整部２６の制御の他、印刷機構２０を構成する各部に関する処理制御を行っている。
【００４７】
また、処理制御手段２４ｂは、情報記憶手段１３ｃに記憶された印刷位置情報である天地位置情報に基づき、図４（ａ）に示すように印刷ドラム１３ａの回転に同期して給紙されるよう被記録媒体の給紙タイミングを制御し、印刷される印刷画像の天地位置を調整している。さらに、処理制御手段２４ｂは、印刷位置情報である左右位置情報に基づき、図４（ｂ）に示すように必要に応じて位置調整部２６を制御して印刷ドラム１３ａ又は給紙台２１ａの少なくとも一方を左右方向に移動制御し、印刷される印刷画像の左右位置を調整している。
【００４８】
駆動部２５は、例えばモータで構成され、制御部２４の制御により、所定タイミングで印刷ドラム１３ａを回転駆動している。
【００４９】
位置調整部２６は、制御部２４の制御により、情報記憶手段１３ｃに記憶された印刷位置情報である左右位置情報に基づき、印刷ドラム１３ａ又は給紙台２１ａの少なくとも一方を左右方向へ移動している。
【００５０】
［印刷システムの処理動作］
次に、上述した印刷システムにおける処理動作について、図５、６を参照しながら説明する。ここでは、図５を参照しながら同システムにおける製版機構１０での製版処理について説明し、図６を参照しながら同システムにおける印刷機構２０での印刷処理についてそれぞれ説明する。
【００５１】
＜製版機構の処理動作＞
図５に示すように、まず被記録媒体に印刷したい所望の印刷画像の原稿を原稿読取部で読み取らせる（ＳＴ１）。次に、被記録媒体の所望の位置に対して印刷するための印刷イメージの作成するため、被記録媒体の媒体イメージを選択するとともに（ＳＴ２）、被記録媒体の給紙方向を選択する（ＳＴ３）。
【００５２】
そして、媒体イメージの選択と給紙方向の選択が終わると、次にＳＴ１で読み込んだ印刷画像を先程の媒体イメージと重ね合わせ、印刷位置情報（天地位置情報、左右位置情報）、印刷画像の倍率、印刷画像の向きなどの画像処理情報の設定を行い（ＳＴ４）、最終的な印刷イメージを作成する（ＳＴ５）。ＳＴ５において、印刷イメージの作成が完了すると、この印刷イメージに基づき製版原紙を作製し（ＳＴ６）、製版処理を終了する。
なお、ＳＴ６において製版が完了すると、印刷イメージを作成した際に設定された印刷位置情報が印刷ドラム１３ａの情報記憶手段１３ｃに記憶される。
【００５３】
＜印刷機構の処理動作＞
図６に示すように、製版機構１０で製版された製版原紙が巻装された印刷ドラム１３ａが装着されると（ＳＴ１１）、このドラムの情報記憶手段１３ｃに記憶された印刷位置情報を読み取り（ＳＴ１２）、この印刷位置情報である左右位置情報に基づき、印刷ドラム１３ａ又は給紙台２１ａの少なくとも一方を左右方向へ移動する（ＳＴ１３）。次に、印刷位置情報である天地位置情報に基づき、被記録媒体の給紙タイミングを調整した後（ＳＴ１４）、被記録媒体に印刷処理を行い（ＳＴ１５）、印刷処理を終了する。
【００５４】
このように、上述した印刷システムは、被記録媒体の所望の位置に印刷画像を印刷するため、製版機構１０において設定された印刷位置情報（天地位置情報、左右位置情報）、印刷画像の倍率、印刷画像の向きなどの画像処理情報に基づき作成した被記録媒体の最終的な印刷イメージに応じた製版原紙を作製し、この作製した製版原紙を印刷ドラム１３ａに巻装するとともに、印刷イメージ作成時に設定した印刷位置情報を情報記憶手段１３ｃに記憶させる。
【００５５】
そして、製版機構１０にて作製された製版原紙を巻装し、且つ設定部１７で設定された画像処理情報のうち少なくとも印刷位置情報を記憶した印刷ドラム１３ａを印刷機構２０に装着し、この印刷ドラム１３ａに記憶された印刷位置情報に基づき、必要に応じて印刷ドラム１３ａ又は給紙台２１ａの少なくとも一方を左右方向に移動して印刷画像の左右位置を調整するとともに、被記録媒体の給紙タイミングを調整して印刷位置の天地位置を調整することで、被記録媒体の所望の位置に印刷画像を印刷している。
【００５６】
これにより、製版機構１０と印刷機構２０とが別構成であっても、製版機構１０において作成した被記録媒体の最終的な印刷イメージに応じた製版原紙が製版できるので、経験の浅いユーザであっても被記録媒体に対する印刷画像の天地、左右位置や向きなどを考慮することなく簡便に製版することができる。
【００５７】
また、印刷機構２０で印刷する際に、印刷ドラム１３ａに記憶された印刷位置情報に基づき、必要に応じて印刷ドラム１３ａ又は給紙台２１ａの少なくとも一方を左右方向に移動して印刷画像における左右位置の調整が行えるとともに、被記録媒体の給紙タイミングを制御して印刷画像における天地位置の調整が行えるため、印刷時にユーザが被記録媒体の位置合わせをする必要がなく、正確な位置に印刷をすることができる。
【００５８】
ところで、上述した形態において、製版機構１０として製版機能を備えた一般的な孔版印刷装置を、印刷機構２０として製版機構１０で製版された製版原紙を巻装した印刷ドラム１３ａを用いて孔版印刷方法で印刷を行う印刷装置をそれぞれ用いた例で説明したが、例えば凸版印刷方法やオフセット印刷方法など、製版した製版原紙を巻装した印刷ドラムを用いて印刷する方法であれば、印刷方法は特に限定されない。
【００５９】
また、上述した形態では、印刷機構１０の給紙台２１ａ及び印刷ドラム１３ａが共に位置調整部２６によって移動可能な構成とし、印刷ドラム１３ａに記憶された印刷位置情報に基づき印刷位置調整を行う際に印刷機構２０の印刷ドラム１３ａ又は給紙台２１ａの何れか一方を左右移動させて位置調整を行うとしたが、これに限定されることはなく、少なくとも印刷ドラム１３ａ又は給紙台２１ａの何れか一方が位置調整部２６によって移動可能に設けられ、左右方向に対して移動自在な構成であればよい。
【００６０】
さらに、上述した形態では、被記録媒体に印刷する印刷画像を製版機構１０の原稿読取部１１から光学的に読み込んだ画像データを用いた例で説明したが、これに限定されることはなく、例えばＰＣなどの外部端末やＵＳＢメモリなどの外部記憶媒体に記憶された画像データを読み込んで印刷画像として使用することもできる。
【００６１】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００６２】
【図１】本発明に係る印刷システムの構成を説明するための概略構成図である。
【図２】同印刷システムの電気的構成を説明するための概略ブロック図である。
【図３】（ａ）〜（ｄ）  同装置において製版時に画像処理情報を設定したときに表示される表示内容の一例を説明するための説明図である。
【図４】（ａ）、（ｂ）  同システムの印刷機構における印刷位置調整を説明するための概念図である。
【図５】同システムにおける製版時の一連の処理動作を説明するためのフローチャート図である。
【図６】同システムにおける印刷時の一連の処理動作を説明するためのフローチャート図である。
【図７】従来の孔版印刷装置の構成を説明するための概略ブロック図である。
【図８】従来の孔版印刷装置の構成を説明するための概略ブロック図である。
【符号の説明】
【００６３】
１…印刷システム
１０…製版機構
１１…原稿読取部
１２…給紙部（１２ａ…給紙トレイ、１２ｂ…給紙ローラ）
１３…画像形成部（１３ａ…印刷ドラム、１３ｂ…プレスローラ、１３ｃ…情報記憶手段）
１４…排紙部（１４ａ…排紙ローラ、１４ｂ…排紙トレイ）
１５…製版部
１６…制御部（１６ａ…記憶手段、１６ｂ…処理制御手段）
１７…設定部
１８…表示部
１９…駆動部
２０…印刷機構
２１…給紙部（２１ａ…給紙台、２１ｂ…給紙ローラ）
２２…画像形成部（２２ａ…プレスローラ）
２３…排紙部（２３ａ…排紙ローラ、２３ｂ…排紙台）
２４…制御部（２４ａ…記憶手段、２４ｂ…処理制御手段）
２５…駆動部
２６…位置調整部
【図１】
2010064345.tif 000003
【図２】
2010064345.tif 000004
【図３】
2010064345.tif 000005
【図４】
2010064345.tif 000006
【図５】
2010064345.tif 000007
【図６】
2010064345.tif 000008
【図７】
2010064345.tif 000009
【図８】
2010064345.tif 000010